(57)【要約】【課題】本発明は、カタログに等縮尺の人物や背景映像を画像合成して表示することにより、実物を見た場合に近い状況を作り出し、購買者のカタログ商品への深い理解を促し、実物を見た場合と同様に、詳細に商品を観察可能にする。【解決手段】本発明は、素材A（商品の映像とその属性情報）と、素材B（人物の映像とその属性情報）と、素材C（背景の映像とその属性情報）と、利用者の操作するマウス等の指示装置Dと、それら素材A,B,Cを合成表示する表示装置Ｅから構成される。各素材A,B,Cは、表示装置Ｅと属性情報の通信を行い、自ら映像の表示位置や表示内容、表示サイズを決定する。表示装置Ｅは、各素材A,B,Cおよびマウス等の指示装置Dからの属性情報に従って、画面表示すると共に属性情報を各素材A,B,Cに伝達する。【選択図】図１
2008257560.tif 000002
【特許請求の範囲】
【請求項１】
商品の映像とその属性情報からなる第１の素材Aと、
人物の映像とその属性情報からなる第２の素材Bと、
背景の映像とその属性情報からなる第３の素材Cと、
利用者の操作する指示装置Dと、
前記第１、第２、第３の素材A,B,Cを合成表示する表示装置Ｅから構成され、
各素材A,B,Cは、表示装置Ｅと属性情報の通信を行い、自ら映像の表示位置や表示内容、表示サイズを決定する機能を有し、
表示装置Ｅは、各素材A,B,Cおよび指示装置Dからの属性情報に従って、画面表示すると共に属性情報を各素材A,B,Cに伝達する機能を有する、
ことから成るカタログ提示システム。
【請求項２】
利用者が第１の素材Aの表示位置や視点などの属性情報の変更を、指示装置Dを操作することにより表示装置Ｅに伝えると、表示装置Ｅは第１の素材Aに表示位置や視点の属性情報の変更希望をそのまま伝え、第１の素材Aは表示位置や視点の属性情報変更の希望に従って、新たな表示位置に合致した表示内容、表示サイズを決定し、この決定した新たな表示位置、表示内容、表示サイズに相当する映像と属性情報を表示装置Ｅに出力し、
表示装置Ｅに伝えられた第１の素材Aの属性情報の変化は、表示装置Ｅからそのまま第２及び第３の素材B、Cに伝えられ、
第２及び第３の素材B、Cは第１の素材Aの属性情報の変化により影響を受ける表示内容を判断し、表示内容が変化を受けると判断した素材は、影響を受けた後の新たな表示内容を決定し、
決定した新たな表示位置、表示内容、表示サイズに相当する映像と属性情報を表示装置Ｅに出力することで、利用者が希望した第１の素材Aの表示位置の変更に対応した表示を実現する請求項１に記載のカタログ提示システム。
【請求項３】
第２の素材Bの内容が変化した場合、その変化に対応した属性情報および映像は表示装置Ｅに伝えられ、
表示装置Ｅは第２の素材Bの属性情報の変化を第１及び第３の素材A、Cに伝え、
第１及び第３の素材A、Cは第２の素材Bの属性情報の変化により影響を受ける表示内容を判断し、
表示内容が変化を受けると判断した素材は、影響を受けた後の新たな表示内容を決定し、決定した新たな表示位置、表示内容、表示サイズに相当する映像と属性情報を表示装置Ｅに出力することで、第２の素材Bの内容の変化に対応した表示を実現する請求項１又は２に記載のカタログ提示システム。
【請求項４】
利用者が第３の素材Cの表示位置や視点などの属性情報の変更を、指示装置Dを操作することにより表示装置Ｅに伝えると、表示装置Ｅは第３の素材Cに表示位置や視点の属性情報の変更希望をそのまま伝え、
第３の素材Cは表示位置や視点の属性情報変更の希望に従って、新たな表示位置に合致した表示内容、表示サイズを決定し、決定した新たな表示位置、表示内容、表示サイズに相当する映像と属性情報を表示装置Ｅに出力し、
表示装置Ｅに伝えられた第３の素材Cの属性情報の変化は、表示装置Ｅからそのまま第１及び第２の素材A、Bに伝えられ、
第１及び第２の素材A、Bは第３の素材Cの属性情報の変化により影響を受ける表示内容を判断し、表示内容が変化を受けると判断した素材は、影響を受けた後の新たな表示内容を決定し、
決定した新たな表示位置、表示内容、表示サイズに相当する映像と属性情報を表示装置Ｅに出力することで、利用者が希望した第３の素材Cの表示位置の変更に対応した表示を実現する請求項１〜３のいずれかに記載のカタログ提示システム。
【請求項５】
時間の経過に従って表示内容を変化すべきと判断した各素材A,B,Cは、新たな表示位置、表示内容、表示サイズを決定し、決定した新たな表示位置、表示内容、表示サイズに相当する映像と属性情報を表示装置Ｅに出力し、
表示装置Ｅに伝えられた各素材A,B,Cの属性情報の変化は、表示装置Ｅからそのまま各素材A,B,Cに伝えられ、
属性情報の変化を受信した素材は、受信した属性情報の変化により影響を受ける表示内容を判断し、
表示内容が変化を受けると判断した素材は、影響を受けた後の新たな表示内容を決定し、決定した新たな表示位置、表示内容、表示サイズに相当する映像と属性情報を表示装置Ｅに出力することで、時間の経過に従った素材の表示位置の変更に対応した表示を実現する請求項１〜４のいずれかに記載のカタログ提示システム。
【請求項６】
利用者が第１の素材Aの色や形や大きさなど商品の変更を伴なう属性情報の変更を、指示装置Dを操作することにより表示装置Ｅに伝えると、
表示装置Ｅは第１の素材Aに色や形や大きさなどの属性情報の変更希望をそのまま伝え、
第１の素材Aは色や形や大きさなどの属性情報変更の希望に従って、新たな色や形や大きさなどの属性情報に合致した表示内容、表示サイズを決定し、決定した新たな表示内容、表示サイズに相当する映像と属性情報を表示装置Ｅに出力し、
表示装置Ｅに伝えられた第１の素材Aの属性情報の変化は、表示装置Ｅからそのまま第２及び第３の素材B、Cに伝えられ、
第２及び第３の素材B、Cは第１の素材Aの属性情報の変化により影響を受ける表示内容を判断し、
表示内容が変化を受けると判断した素材は、影響を受けた後の新たな表示内容を決定し、決定した新たな表示内容、表示サイズに相当する映像と属性情報を表示装置Ｅに出力することで、利用者が希望した第１の素材Aの色や形や大きさなどの属性情報に合致した商品の表示を実現する請求項１〜５のいずれかに記載のカタログ提示システム。
【請求項７】
商品の映像とその属性情報からなる第１の素材Aと、人物の映像とその属性情報からなる第２の素材Bと、背景の映像とその属性情報からなる第３の素材Cと、利用者の操作する指示装置Dと、前記第１、第２、第３の素材A,B,Cを合成表示する表示装置Ｅを有し、
各素材A,B,Cは、表示装置Ｅと属性情報の通信を行い、自ら映像の表示位置や表示内容、表示サイズを決定し、
表示装置Ｅは、各素材A,B,Cおよび指示装置Dからの属性情報に従って、画面表示すると共に属性情報を各素材A,B,Cに伝達する、
ことから成るカタログ提示方法。
【発明の詳細な説明】
【技術分野】
【０００１】
本発明は、カタログ商品に等縮尺の自己像や背景映像を画像合成して表示することにより、カタログ商品の深い理解を促し、実物を見た場合に近い状況を生む表示方式であると共に、顧客の色や形や大きさの修正希望をメーカ、小売業にフィードバックする表示方式に関する。
【背景技術】
【０００２】
洋服やアクセサリーのように、実際の販売店に鏡の設置があって購入前に試着できる商品を、試着した場合と同様な効果を画像合成により作り出すシステムの発明がある（特許文献１参照）。この発明を、試着を商品購買の判断に使用している商品、例えば、かつら、めがね、帽子、アクセサリー、洋服等に対して適用することはできるであろう。即ち、特許文献１は、商品の評価に試着、すなわち商品と自己像との合成表示が本質的に不可欠であるような商品に限定されて適用される。
しかし、たとえば家具を購入する場合、置こうとする場所を想像して購入するわけであるが、これはあくまでも頭の中に思い浮かべるだけである。購買者は、商品の大きさや色合いなどを、商品単独で理解している訳ではない。自分の身体や手の大きさ、色合い等との比較により理解しようとしている。また使い慣れている自宅の食器や着慣れている洋服など、いろいろな比較対象となるものを商品毎に動員して理解しようとしている。慣れ親しんだ比較対象物は購買者毎に異なるので、購買者すべてが自分の慣れ親しんだ比較対象物とともに商品を見ることは一般のカタログでは不可能である。
またシリーズ化された商品の中から気に入った色や形、大きさの商品を選ぶ場合、アクセサリーや洋服、小物であればカタログ商品を数点選び、それらを交互に取り替えながら比較することで、最適な商品を選ぶことができるが、家具などでは、現物がある店舗であっても比較は難しい。
シリーズ化された商品の場合、色や形、大きさなどシリーズの全ての組み合わせの商品をカタログに掲載することは経済的でない。これは実際の商品が展示されている店舗の場合も同様で、一般には、代表的な１，２例と、色見本やサイズ表などで対応している。そのため、シリーズ化された商品の中からの最適なものを見つける場合、代表的な商品を見て、購買者は色やサイズを修正して理解する必要がある。
さらに購買者がシリーズで用意されていない色や形、大きさの商品を希望する場合、その希望をメーカ、小売業に正確に伝える必要があり、手間もかかることから購入をあきらめるというケースも多くある。
【特許文献１】特開平05-336445号公報
【発明の開示】
【発明が解決しようとする課題】
【０００３】
カタログを見る場合と、実物を見る場合では、同じ商品であっても受ける印象が異なることがある。一般に、本物を見る場合には容易に気が付く点であっても、カタログでは気付きにくく、見過ごしてしまうことがある。そのため、カタログには正しく表示されているにも係わらず、購入後にカタログで見過ごしてしまった点が気に入らないといって後悔することがある。
本発明は、カタログに等縮尺の人物や背景映像を画像合成して表示することにより、実物を見た場合に近い状況を作り出し、購買者のカタログ商品への深い理解を促し、実物を見た場合と同様に、詳細に商品を観察できる状況を生むと共に、購買者の色や形や大きさの修正希望をメーカ、小売業にフィードバックする表示方式を提供する。
【課題を解決するための手段】
【０００４】
本発明のカタログ提示システム及び方法は、素材A（商品の映像とその属性情報）と、素材B（人物の映像とその属性情報）と、素材C（背景の映像とその属性情報）と、利用者の操作するマウス等の指示装置Dと、それら素材A,B,Cを合成表示する表示装置Ｅから構成される。各素材A,B,Cは、表示装置Ｅと属性情報の通信を行い、自ら映像の表示位置や表示内容、表示サイズを決定する能力を有する。表示装置Ｅは、各素材A,B,Cおよびマウス等の指示装置Dからの属性情報に従って、画面表示すると共に属性情報を各素材A,B,Cに伝達する能力を有する。
【０００５】
利用者が商品の素材Aの表示位置や視点などの属性情報の変更を、指示装置Dを操作することにより表示装置Ｅに伝えると、表示装置Ｅは素材Aに表示位置や視点の属性情報の変更希望をそのまま伝える。素材Aは表示位置や視点の属性情報変更の希望に従って、新たな表示位置に合致した表示内容、表示サイズを決定し、決定した新たな表示位置、表示内容、表示サイズに相当する映像と属性情報を表示装置Ｅに出力する。
表示装置Ｅに伝えられた素材Aの属性情報の変化は、表示装置Ｅからそのまま素材BおよびCに伝えられ、素材BおよびCは素材Aの属性情報の変化により影響を受ける表示内容を判断し、表示内容が変化を受けると判断した素材は、影響を受けた後の新たな表示内容を決定する。決定した新たな表示位置、表示内容、表示サイズに相当する映像と属性情報を表示装置Ｅに出力することで、利用者が希望した素材Aの表示位置の変更に対応した表示を実現する。
【０００６】
また、利用者の素材Bの内容が変化した場合、その変化に対応した属性情報および映像は表示装置Ｅに伝えられ、表示装置Ｅは素材Bの属性情報の変化を素材AおよびCに伝える。素材AおよびCは素材Bの属性情報の変化により影響を受ける表示内容を判断する。表示内容が変化を受けると判断した素材は、影響を受けた後の新たな表示内容を決定する。決定した新たな表示位置、表示内容、表示サイズに相当する映像と属性情報を表示装置Ｅに出力することで、利用者の素材Bの内容の変化に対応した表示を実現する。
利用者が背景となる素材Cの表示位置や視点などの属性情報の変更を、指示装置Dを操作することにより表示装置Ｅに伝えると、表示装置Ｅは素材Cに表示位置や視点の属性情報の変更希望をそのまま伝える。素材Cは表示位置や視点の属性情報変更の希望に従って、新たな表示位置に合致した表示内容、表示サイズを決定する。決定した新たな表示位置、表示内容、表示サイズに相当する映像と属性情報を表示装置Ｅに出力する。表示装置Ｅに伝えられた素材Cの属性情報の変化は、表示装置Ｅからそのまま素材AおよびBに伝えられる。素材AおよびBは素材Cの属性情報の変化により影響を受ける表示内容を判断する。表示内容が変化を受けると判断した素材は、影響を受けた後の新たな表示内容を決定する。決定した新たな表示位置、表示内容、表示サイズに相当する映像と属性情報を表示装置Ｅに出力することで、利用者が希望した素材Cの表示位置の変更に対応した表示を実現する。
【０００７】
時間の経過に従って表示内容を変化すべきと判断した素材A,B,Cは、新たな表示位置、表示内容、表示サイズを決定する。決定した新たな表示位置、表示内容、表示サイズに相当する映像と属性情報を表示装置Ｅに出力する。表示装置Ｅに伝えられた素材A,B,Cの属性情報の変化は、表示装置Ｅからそのまま素材A,B,Cに伝えられる。属性情報の変化を受信した素材は、受信した属性情報の変化により影響を受ける表示内容を判断する。表示内容が変化を受けると判断した素材は、影響を受けた後の新たな表示内容を決定する。決定した新たな表示位置、表示内容、表示サイズに相当する映像と属性情報を表示装置Ｅに出力することで、時間の経過に従った素材の表示位置の変更に対応した表示を実現する。
【０００８】
利用者が商品の素材Aの色や形や大きさなど商品の変更を伴なう属性情報の変更を、指示装置Dを操作することにより表示装置Ｅに伝えると、表示装置Ｅは素材Aに色や形や大きさなどの属性情報の変更希望をそのまま伝え、素材Aは色や形や大きさなどの属性情報変更の希望に従って、新たな色や形や大きさなどの属性情報に合致した表示内容、表示サイズを決定し、決定した新たな表示内容、表示サイズに相当する映像と属性情報を表示装置Ｅに出力する。
表示装置Ｅに伝えられた素材Aの属性情報の変化は、表示装置Ｅからそのまま素材BおよびCに伝えられ、素材BおよびCは素材Aの属性情報の変化により影響を受ける表示内容を判断し、表示内容が変化を受けると判断した素材は、影響を受けた後の新たな表示内容を決定し、決定した新たな表示内容、表示サイズに相当する映像と属性情報を表示装置Ｅに出力することで、利用者が希望した素材Aの色や形や大きさなどの属性情報に合致した商品の表示を実現する。
利用者が表示している素材Aの商品の購入を希望した場合、そのときの素材Aの属性情報をメーカ、小売店が得ることで、商品注文の誤解が軽減する。
【発明の効果】
【０００９】
本発明では、商品購入後の状況を、自己像や背景映像を画像合成することで映像化し、購買者に提供することにより、商品理解を深めることを促進する。購買者は、商品の大きさや色合いなどを、商品単独で理解している訳ではない。自分の身体や手の大きさ、色合い等との比較により理解しようとしている。また使い慣れている自宅の食器や着慣れている洋服など、いろいろな比較対象となるものを商品毎に動員して理解しようとしている。
本発明では、購買者毎に用意した人物の映像、背景の映像と、商品の映像を画像合成することにより、慣れ親しんだ背景の中に、商品と人物（一般に購買者自身）があたかも一緒に存在するような合成映像をつくりだす。合成映像は静止画とは限らない。合成映像が自然に見えるように、人物が移動すれば、商品も必要に応じて移動する。たとえば、背景映像が朝、昼、夕、夜に応じて照明条件が変化する場合、合成映像の商品の映像もそれに応じて変化して表示される。
【００１０】
シリーズ化された商品の場合、色や形や大きさなどを変更することで、対応する商品の映像に切り替わって表示される。シリーズで予め用意していない色や形、大きさの商品を購買者が希望し、さらにその希望にメーカ、小売業が対応できる場合には、希望に応じた商品の映像を表示し、そのときの商品の情報をメーカ、小売業が得ることで、購買者の希望に正確な商品注文が受けられる。
【発明を実施するための最良の形態】
【００１１】
以下、例示に基づき、本発明を説明する。図１は、本発明に基づき構成されるカタログ提示システムの構成図である。図示したように、カタログ提示システムは、素材A（商品の映像とその属性情報）と、素材B（人物の映像とその属性情報）と、素材C（背景の映像とその属性情報）と、利用者の操作するマウス等の指示装置Dと、それら素材A,B,Cを合成して表示する表示装置Ｅから構成される。図示の表示装置Ｅには、利用者が指示装置Dを使って、素材Ａ，Ｂ，Ｃを適切に配置した状態の合成映像が表示されている状況を表している。
【００１２】
図２は、素材A、B および Cのそれぞれの構成図である。各素材には商品、人物、背景の画像・映像のデータベースがあり、属性情報メモリに記憶されている属性情報に応じ、属性情報処理部は、最適な画像・映像を選択し、表示位置、表示サイズを決定する。画像処理部は、属性情報処理部の決定に従い画像処理を施して出力する。同時に、そのときの表示にかかわる属性情報も出力する。属性情報の修正・問い合わせの入力に対し、属性情報処理部が対応し、その結果、属性情報メモリの内容更新、画像・映像の更新が行われることがある。
【００１３】
図３は、表示装置Ｅの構成図である。素材A、B、C、指示装置D等につながる複数の入出力がある。画像データの場合、画像メモリに一旦保存し、画像メモリ上の他の画像と画像合成処理部で合成し、それを画像表示部で表示する。その他のデータの場合、属性情報処理部で処理し、必要に応じて、他の素材にそのデータを転送する。
【００１４】
次に、図４〜図１７を参照して、利用者がマウスなどの指示装置Dを使って表示装置Ｅに素材Ａ，Ｂ，Ｃを適切に配置する状況を説明する。図４は、素材A、B、C、指示装置Dが表示装置Ｅに接続された初期状態を示す図である。初期状態では、各映像は画面左下(0,0)を原点として重ねて表示される。
【００１５】
図５は、任意の映像の特定を説明する図である。利用者はマウスなどの指示装置Ｄを操作して、素材を選択する。そのために、(1)動かしたい任意の映像上で、指示装置Dをクリックして特定する。(2)表示装置Ｅは特定された素材に特定されたことを伝える。
【００１６】
図６は、特定した素材の移動先の位置の指定を説明する図である。(1)指示装置Dを動かし、特定した素材の移動先の位置を指定する。(2)表示装置Ｅは特定された素材に指定された位置を伝える。
【００１７】
図７は、指定された位置での最適な縮尺率の決定を説明する図である。(1)特定された素材は、指定された位置での最適な縮尺率を表示装置Ｅに尋ねる。(2)表示装置Ｅはその質問をそのまま、各素材に伝える。(3)応答すべき素材が、最適な縮尺率を表示装置Ｅに伝える。(4)表示装置Ｅはその縮尺率を質問を出した素材に伝える。
【００１８】
図８は、最適な縮尺率の映像を指定された位置に出力することを説明する図である。(1)特定された素材は最適な縮尺率の映像を作る。(2)その映像を表示装置Ｅの指定された位置に出力する。
同様に、別の素材に対しても選択してドラッグすることで、表示位置を自由に変更できる。
【００１９】
図９は、任意の映像上で特定することを説明する図である。(1)動かしたい任意の映像上で、指示装置Dをクリックして特定する。(2)表示装置Ｅは特定された素材に特定されたことを伝える。
【００２０】
図１０は、最適な縮尺率の映像を指定された位置に出力することを説明する図である。(1)指示装置Dを動かし、特定した素材の移動先の位置を指定する。(2)表示装置Ｅは特定された素材に指定された位置を伝える。(3)特定された素材は、指定された位置での最適な縮尺率を表示装置Ｅ経由で求め、最適な縮尺率の映像を作る。(4)その映像を表示装置Ｅの指定された位置に出力する。
【００２１】
図１１は、任意の映像上で特定することを説明する図である。(1)動かしたい任意の映像上で、指示装置Dをクリックして特定する。(2)表示装置Ｅは特定された素材に特定されたことを伝える。
【００２２】
図１２は、最適な縮尺率の映像を指定された位置に出力することを説明する図である。(1)指示装置Dを動かし、特定した素材の移動先の位置を指定する。(2)表示装置Ｅは特定された素材に指定された位置を伝える。(3)特定された素材は、指定された位置での最適な縮尺率を表示装置Ｅ経由で求め、最適な縮尺率の映像を作る。(4)その映像を表示装置Ｅの指定された位置に出力する。
このように、利用者が明示的に縮尺率を指定しなくても、素材Ａ，Ｂ，Ｃが属性情報を相互に交信することで最適な縮尺率が決定される様子を示している。
さらにマウスなどの指示装置Ｄの右ボタンなどをクリックすることで、素材にメニュー画面を表示させる。
【００２３】
図１３は、指定した素材の属性変更メニューの要求を説明する図である。(1)指示装置Dにより、指定した素材の属性変更メニューの要求を表示装置Ｅに伝える。(2)表示装置Ｅは特定された素材にそのことを伝える。(3)特定された素材は、メニュー画面を表示装置Ｅのマウスカーソルの近くに出力する。
利用者がマウスなどの指示装置Ｄを用いてメニュー項目を選択し、素材にそれに対応した処理を実行させることで、適切な表示内容を適切に配置する。
【００２４】
図１４は、指定した素材の属性変更（回転）を説明する図である。(1)指示装置Dにより、指定した素材の属性変更（回転）を指示する。(2)表示装置Ｅは特定された素材に指定された属性変更（回転）を伝える。
【００２５】
図１５は、最適な縮尺率の映像を指定された位置に出力することを説明する図である。(1)指定された素材は、指定された属性変更（回転）に適した映像を選び、最適な縮尺率の映像を作る。(2)その映像を表示装置Ｅの指定された位置に出力する。
これらの処理において、各素材A,B,Cは、表示装置Ｅと属性情報の通信を行い、自ら映像の表示位置や表示内容、表示サイズを決定する。表示装置Ｅは、各素材A,B,Cおよびマウス等の指示装置Dからの属性情報に従って、画面表示すると共に属性情報を各素材A,B,Cに伝達する。たとえば図５〜図８において、素材Ａの映像の表示位置および表示内容が、指示装置Ｄにより指定された位置に、素材Ｃからの縮尺率の情報、すなわち素材Ｃの座標（ｘ、ｙ）の属性情報を元に、素材Ａが自ら判断して表示装置Ｅに出力される様子を示している。この場合、表示装置Ｅは、各素材A,B,Cおよび指示装置Ｄの属性情報の通信を仲介するが、表示内容、表示位置の決定には関与はしていない。同時に、利用者が指示装置Dを操作して適切な拡大率を素材Aに指定することもしていない。
【００２６】
図１４では商品を見る方向の変更（回転）に対応する属性変数の変更を説明する図であったが、図１６は、商品の変更を伴なう属性変更（高さ調整）を説明する図である。(1)指示装置Dにより、指定した素材の属性変更（高さ調整）を指示する。(2)表示装置Ｅは特定された素材に指定された属性変更（高さ調整）を伝える。
【００２７】
図１７は、属性変更後の映像を指定された位置に出力することを説明する図である。(1)指定された素材は、指定された属性変更（高さ調整）に適した映像を選ぶ、あるいは最も近い商品の映像を選ぶ、あるいはＣＧ（コンピュータグラフィック）などにより該当する商品映像を作り出し、最適な縮尺率の映像を作る。(2)その映像を表示装置Ｅの指定された位置に出力する。素材Ａを提供したメーカ或いは小売業者が、そのときの素材Aの属性情報メモリの内容を得ることで、商品注文の誤解が軽減する。
【００２８】
図１８は、表示装置Ｅに表示されている合成映像を表している。テーブルが商品である素材Ａ、人物の全身像である素材Ｂ、背景として部屋の映像である素材Ｃの場合を表している。図１８は、商品（机）と、人物と背景（部屋）の合成映像の変化の様子を示し、１段目から２段目は商品の移動、２段目から３段目は人物の移動、左右は背景を変化させた場合を示している。マウスなどの指示装置Ｄを使って、部屋の中央に置いてある商品の表示位置を部屋奥の左隅に、９０度回転させて移動するように指示すると、素材Ａは「商品が部屋奥の左隅に置かれた場合の商品映像」を表示装置Ｅに出力することで、図１８（Ｂ）のような合成映像になる。次に人物が部屋奥に移動し、そこで商品に手をかけるような仕草をする映像を利用者が指定すると、その部屋奥に人物が居る場合に相応しい拡大になるように素材Ｂが判断して、表示装置Ｅに映像を出力することで、図１８（Ｃ）のような合成映像になる。
【００２９】
利用者が図１８（Ａ）、（Ｂ）、（Ｃ）の映像において背景映像Ｃの内容を変更した場合、図１８（Ｄ）、（Ｅ）、（Ｆ）のような合成映像になる。例えば、素材Cを取り替えることにより、新築時や改装時に素材Aが新しい部屋に合うかを確認できる。
贈答を目的としている場合には、素材Aをいろいろな商品に、素材Bを贈答先の人物に、素材Cを贈答先の居室に変えたりできる。素材Ｃは、商品の販売会社が用意した素材、利用者が用意した素材に限らず、公的機関など第３者が提供した素材であってもよい。いろいろな背景の下で商品を観察することは、より良く商品を知ることに有効であり、また、同類他社製品との比較や、贈答先の相手との意見調整などを行う場合にも、有効である。
【００３０】
図１９は、商品（コーヒーカップ）と、手と皿、背景（テーブルの上）の合成映像の変化の様子を示している。図１８の例では、１つの素材の変化が他の素材の変化を生じさせないが、図１９は１つの素材の変化が他の素材にも変化を生じさせる例である。素材Aは商品であるコーヒーカップ、素材Bは利用者の手と皿、素材Cはテーブルの映像である。
【００３１】
図１９（Ａ）は、テーブルの上に商品であるコーヒーカップが置いてあり、お皿を持った利用者の手の映像がその近くにある構図の合成映像である。図１９（Ｂ）は、利用者が手を動かし、持っているお皿を動かした状態である。お皿は動くがコーヒーカップは移動しない。図１９（Ａ）の状態でマウスなどの指示装置Ｄを使って、テーブルの上のコーヒーカップを利用者の持っているお皿の上に乗せた位置に移動させると、素材Ａ（コーヒーカップ）が指定された位置に相応しい商品の映像を表示装置Ｅに出力することで、図１９（Ｃ）のような合成映像が表示される。
さらに、利用者が手を図１９（B）の位置に移動すると、素材Ａ（コーヒーカップ）はお皿の上が表示位置として適切と判断し、素材B（手と皿）からの属性情報を基に、素材Ａ（コーヒーカップ）の属性情報を変化させ、相応しい映像を表示装置Ｅに出力することで、図１９（Ｄ）のような合成映像が表示される。図１９（Ａ）と（Ｂ）との素材Ｂ（手と皿）の差は、図１９（Ｃ）と（Ｄ）との差と等しい。しかし素材Ａ（コーヒーカップ）は、図１９（Ａ）から（Ｂ）へ素材Ｂ（手と皿）が変化する場合、その変化の影響を受けないが、図１９（Ｃ）から（Ｄ）へ素材Ｂ（手と皿）が変化する場合、その影響を受けることを図１９は示している。
【図面の簡単な説明】
【００３２】
【図１】本発明に基づき構成されるカタログ提示システムの構成図である。
【図２】素材A、B および Cのそれぞれの構成図である。
【図３】表示装置Ｅの構成図である。
【図４】素材A、B、C及び指示装置Dが表示装置Ｅに接続された初期状態を示す図である。
【図５】任意の映像の特定を説明する図である。
【図６】特定した素材の移動先の位置の指定を説明する図である。
【図７】指定された位置での最適な縮尺率の決定を説明する図である。
【図８】最適な縮尺率の映像を指定された位置に出力することを説明する図である。
【図９】任意の映像上で特定することを説明する図である。
【図１０】最適な縮尺率の映像を指定された位置に出力することを説明する図である。
【図１１】任意の映像上で特定することを説明する図である。
【図１２】最適な縮尺率の映像を指定された位置に出力することを説明する図である。
【図１３】指定した素材の属性変更メニューの要求を説明する図である。
【図１４】指定した素材の属性変更（回転）を説明する図である。
【図１５】最適な縮尺率の映像を指定された位置に出力することを説明する図である。
【図１６】商品の変更を伴なう属性変更（高さ調整）を説明する図である。
【図１７】属性変更後の映像を指定された位置に出力することを説明する図である。
【図１８】表示装置Ｅに表示されている合成映像を表す図である。
【図１９】商品（コーヒーカップ）と、手と皿、背景（テーブルの上）の合成映像の変化の様子を示す図である。
【図１】
2008257560.tif 000003
【図２】
2008257560.tif 000004
【図３】
2008257560.tif 000005
【図４】
2008257560.tif 000006
【図５】
2008257560.tif 000007
【図６】
2008257560.tif 000008
【図７】
2008257560.tif 000009
【図８】
2008257560.tif 000010
【図９】
2008257560.tif 000011
【図１０】
2008257560.tif 000012
【図１１】
2008257560.tif 000013
【図１２】
2008257560.tif 000014
【図１３】
2008257560.tif 000015
【図１４】
2008257560.tif 000016
【図１５】
2008257560.tif 000017
【図１６】
2008257560.tif 000018
【図１７】
2008257560.tif 000019
【図１８】
2008257560.tif 000020
【図１９】
2008257560.tif 000021